【手続補正書】
【提出日】令和1年12月10日(2019.12.10)
【手続補正１】
【補正対象書類名】明細書
【補正対象項目名】発明の名称
【補正方法】変更
【補正の内容】
【発明の名称】アプリのインストール省略および利用者共有のシステム
【手続補正２】
【補正対象書類名】明細書
【補正対象項目名】０００１
【補正方法】変更
【補正の内容】
【０００１】この発明は、複数の独立したアプリケーションプログラム（以下「アプリ」と呼ぶ）のインストールを省略すると共に利用者を共有するシステムに関する。
【手続補正３】
【補正対象書類名】明細書
【補正対象項目名】０００２
【補正方法】変更
【補正の内容】
【０００２】アプリを通し情報やサービスを提供する者（以下「アプリ提供者」と呼ぶ）にとって、アプリの利用者（以下「アプリ利用者」と呼ぶ）にアプリをインストールしてもらう必要があり、この手続きを利用者に行ってもらうことの難しさが共通の問題となっていた。また、アプリ利用者にとっても、複数のアプリをインストールしないとならない手間があり、面倒なものとなっていた。
この問題を解決するために、単一のアプリで複数のアプリ提供者の情報やサービスを提供する「ＡＳＰサービス」や「クラウドサービス」など呼ばれるシステムが開発された。
【手続補正４】
【補正対象書類名】明細書
【補正対象項目名】０００４
【補正方法】変更
【補正の内容】
【０００４】しかしながら、以上のシステムによれば、アプリが１つ（同じ）であることや情報やサービス提供される基本的な画面のデザインが同じであることなどから、個々のアプリ提供者のオリジナリティ（独自性）を維持することが難しいという問題がある。
例えばスマートフォン（以下「スマホ」と呼ぶ）の場合、画面に表示されるアプリはアイコンと呼ばれるイラストが表示される。このアイコンはアプリ提供者が提供するサービスをひと目で認知できる標識が用いられることが多く、アプリ提供者にとって、このアイコンで独自性を表現できることは、アプリの情報サービス提供画面と共に大変重要なことである。
しかし、「ＡＳＰサービス」や「クラウドサービス」など呼ばれるシステムでは、アプリの情報サービス提供画面のみならず、このアイコンも共用となり、アプリ提供者の課題を解決することができない。
【手続補正５】
【補正対象書類名】明細書
【補正対象項目名】０００６
【補正方法】変更
【補正の内容】
【０００６】本発明によれば、第一発明は、アプリケーションプログラム（以下「アプリ」と呼ぶ）において、共通の振る舞いをする共通プログラム、個別の振る舞いをする個別プログラムから構成するプログラム部と、個別のアプリとしての振る舞い定義する基本定義、デザインを定義するデザイン定義、コンテンツを定義するコンテンツ定義から構成するアプリ定義部、文字・画像・音声・動画やウェブページなどのコンテンツ部から構成し、アプリ識別タグ情報により動作するアプリを認識する
ことを特徴とする、同類の異なるアプリ間でインストール省略およびアプリ利用者を共有するシステム。
【手続補正６】
【補正対象書類名】明細書
【補正対象項目名】０００７
【補正方法】変更
【補正の内容】
【０００７】また、第二発明は、前記プログラム部、アプリ定義部、コンテンツ部を異なる機器に収容し、インターネットなどの通信により利用を可能にすることを特徴とする、第一発明に記載の同類の異なるアプリ間でインストール省略およびアプリ利用者を共有するシステム。
【手続補正７】
【補正対象書類名】明細書
【補正対象項目名】０００８
【補正方法】変更
【補正の内容】
【０００８】また、第三発明は、前記アプリ識別タグ情報として、機器に実装された通信装置や電波受信装置によりアプリの識別を可能とする
ことを特徴とする第一発明又は第二発明に記載の同類の異なるアプリ間でインストール省略およびアプリ利用者を共有するシステム。
【手続補正８】
【補正対象書類名】明細書
【補正対象項目名】０００９
【補正方法】変更
【補正の内容】
【０００９】また、第四発明は、前記アプリ識別タグ情報として、機器に実装された画像や音声認識装置によりアプリの識別を可能とする
ことを特徴とする第一発明、第一発明、第三発明のいずれか１つに記載のアプリの同類の異なるアプリ間でインストール省略およびアプリ利用者を共有するシステム。
【手続補正９】
【補正対象書類名】明細書
【補正対象項目名】００１０
【補正方法】変更
【補正の内容】
【００１０】また、第五発明は、前記アプリ識別タグ情報として、文字、数字などの記号やコード類をキーボード入力することによりアプリの識別を可能とする
ことを特徴とする第一発明、第一発明、第三発明、第四発明のいずれか１つに記載のアプリの同類の異なるアプリ間でインストール省略およびアプリ利用者を共有するシステム。
【手続補正１０】
【補正対象書類名】明細書
【補正対象項目名】００１１
【補正方法】変更
【補正の内容】
【００１１】本発明のアプリの同類の異なるアプリ間でインストール省略およびアプリ利用者を共有するシステムによれば、アプリ利用者は、ひとつのアプリをインストールするだけで、他のアプリをインストールすることなく、他のアプリを利用できるようになる。また、アプリ提供者から見ると、既に同類のアプリをインストールしているアプリ利用者に対し、更にアプリをインストールしてもらうことなく情報やサービスを提供することができる。
【手続補正１１】
【補正対象書類名】明細書
【補正対象項目名】００１５
【補正方法】変更
【補正の内容】
【００１５】図１によれば、従来のシステムでは、アプリＡ１１０とアプリＡをインストールした利用者１１０ａ、アプリＢ１２０とアプリＢをインストールした利用者１２０ａ、アプリＺ１１０とアプリＺをインストールした利用者１３０ａはそれぞれ独立しており、アプリおよび利用者を共有する概念は存在しない。
【手続補正１２】
【補正対象書類名】明細書
【補正対象項目名】００１７
【補正方法】変更
【補正の内容】
【００１７】図２によれば、従来のシステムでは、利用者２３０ａが施設Ａ２３０で利用できるアプリＡ２１０ａを所有する機器２３０ｂで利用する場合、アプリＡ２１０ａを機器２３０ｂにダウンロード２３０ｃする。その後、施設Ｂ２４０へ移動した利用者２３０ａが、その施設で利用できるアプリＢ２１０ｂを利用しようとした場合、改めてアプリＢ２１０ｂを所有する機器２３０ｂにダウンロード２４０ｃする必要がある。これは、他の施設Ｚ２５０でも同じ手続きが必要となる。
【手続補正１３】
【補正対象書類名】特許請求の範囲
【補正対象項目名】請求項１
【補正方法】変更
【補正の内容】
【請求項１】
アプリケーションプログラム（以下「アプリ」と呼ぶ）において、共通の振る舞いをする共通プログラム、個別の振る舞いをする個別プログラムから構成するプログラム部と、個別のアプリとしての振る舞い定義する基本定義、個別のアプリとしてのデザインを定義するデザイン定義、個別のアプリとしてのコンテンツを定義するコンテンツ定義から構成するアプリ定義部、個別のアプリで利用する文字・画像・音声・動画やウェブページなどのコンテンツ部から構成し、共通プログラムがアプリ識別タグ情報により動作する該当アプリを認識し、該当のアプリ定義部から、動作、デザイン、利用コンテンツを理解し、自動的に該当アプリの振る舞いに切り替えることを特徴とする、同類の異なるアプリのインストール省略および利用者共有のシステム。
【手続補正１４】
【補正対象書類名】特許請求の範囲
【補正対象項目名】請求項２
【補正方法】変更
【補正の内容】
【請求項２】
前記プログラム部、アプリ定義部、コンテンツ部を異なる機器に収容し、インターネットなどの通信により利用を可能にすることを特徴とする、請求項１に記載の、同類の異なるアプリのインストール省略および利用者共有のシステム。
【手続補正１５】
【補正対象書類名】特許請求の範囲
【補正対象項目名】請求項３
【補正方法】変更
【補正の内容】
【請求項３】
前記アプリ識別タグ情報として、機器に実装された通信装置や電波受信装置によりアプリの識別を可能とすることを特徴とする、請求項１又は２に記載の、同類の異なるアプリのインストール省略および利用者共有のシステム。
【手続補正１６】
【補正対象書類名】特許請求の範囲
【補正対象項目名】請求項４
【補正方法】変更
【補正の内容】
【請求項４】
前記アプリ識別タグ情報として、機器に実装された画像認識装置や音声認識装置によりアプリの識別を可能とすることを特徴とする、請求項１から３のいずれかに記載の、同類の異なるアプリのインストール省略および利用者共有のシステム。
【手続補正１７】
【補正対象書類名】特許請求の範囲
【補正対象項目名】請求項５
【補正方法】変更
【補正の内容】
【請求項５】
前記アプリ識別タグ情報として、文字、数字などの記号やコード類をキーボード入力することによりアプリの識別を可能とすることを特徴とする、請求項１から４のいずれかに記載の、同類の異なるアプリのインストール省略および利用者共有のシステム。